【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
遊技盤に設けられた始動口に遊技球が入球したことを条件として大当たり抽選を行い、当選した場合にはその当たり種別に応じて前記遊技盤に設けられた大入賞口を開閉する遊技機であって、
前記遊技盤の中央に設けられた略矩形の画像表示手段と、
前記画像表示手段の周囲の所定箇所に設けられた一次ランプ表示手段と、
前記画像表示手段の周囲において、前記一次ランプ表示手段とは異なる位置に設けられた第１の二次ランプ表示手段と、
前記二次ランプ表示手段の近傍に設けられた前記大入賞口を開閉する役物と、
前記画像表示手段、前記一次ランプ表示手段および前記二次ランプ表示手段を制御する制御手段と、
を備え、
前記制御手段は、前記一次ランプ表示手段による点灯表示と、前記画像表示手段における前記一次ランプ表示手段から前記二次ランプ表示手段に向かうライン状の画像表示と、前記二次ランプ表示手段による点灯表示とを行うことで、前記遊技盤において前記役物に向かうライン状の演出表示を行うことを特徴とする遊技機。
【請求項２】
前記制御手段は、前記一次ランプ表示手段による点灯表示と、前記画像表示手段における前記一次ランプ表示手段から前記二次ランプ表示手段に向かうライン状の画像表示と、前記二次ランプ表示手段による点灯表示とを順次に行っていくことを特徴とする請求項１記載の遊技機。
【請求項３】
前記一次ランプ表示手段および前記二次ランプ表示手段はそれぞれ前記画像表示手段を挟んで互いに対向する位置に設けられることを特徴とする請求項１又は２記載の遊技機。
【請求項４】
前記一次ランプ表示手段および前記二次ランプ表示手段はそれぞれ前記画像表示手段における互いに隣り合う辺に対応して設けられることを特徴とする請求項１又は２記載の遊技機。
【請求項５】
前記一次ランプ表示手段は、前記画像表示手段より離れた位置から前記画像表示手段に向かって略線状に点灯し、
前記二次ランプ表示手段は、前記画像表示手段から前記役物に向かって点灯することを特徴とする請求項１乃至４のいずれかに記載の遊技機。
【手続補正２】
【補正対象書類名】明細書
【補正対象項目名】００１０
【補正方法】変更
【補正の内容】
【００１０】
上記目的を達成するため、請求項１にかかる発明は、遊技盤に設けられた始動口に遊技球が入球したことを条件として大当たり抽選を行い、当選した場合にはその当たり種別に応じて前記遊技盤に設けられた大入賞口を開閉する遊技機であって、前記遊技盤の中央に設けられた略矩形の画像表示手段と、前記画像表示手段の周囲の所定箇所に設けられた一次ランプ表示手段と、前記画像表示手段の周囲において、前記一次ランプ表示手段とは異なる位置に設けられた第１の二次ランプ表示手段と、前記二次ランプ表示手段の近傍に設けられた前記大入賞口を開閉する役物と、前記画像表示手段、前記一次ランプ表示手段および前記二次ランプ表示手段を制御する制御手段と、を備え、前記制御手段は、前記一次ランプ表示手段による点灯表示と、前記画像表示手段における前記一次ランプ表示手段から前記二次ランプ表示手段に向かうライン状の画像表示と、前記二次ランプ表示手段による点灯表示とを行うことで、前記遊技盤において前記役物に向かうライン状の演出表示を行うことを特徴としている。
【手続補正３】
【補正対象書類名】明細書
【補正対象項目名】００１１
【補正方法】変更
【補正の内容】
【００１１】
かかる構成によれば、リーチ演出などの各種演出表示において大入賞口を開閉する役物を指し示すような演出表示が可能になり、その演出表示中に遊技者の視線を役物に注目させることができる。すなわち、大入賞口を開閉する役物は遊技者にとって関心の高い役物であり、演出表示中にその役物に向かうライン状の演出表示を遊技盤において行うことにより、その役物が大入賞口を開放することを演出表示によって期待させながら、遊技者を演出表示に注目させることができるようになる。
【手続補正４】
【補正対象書類名】明細書
【補正対象項目名】００１２
【補正方法】変更
【補正の内容】
【００１２】
また請求項２にかかる発明は、請求項１記載の遊技機において、前記制御手段は、前記一次ランプ表示手段による点灯表示と、前記画像表示手段における前記一次ランプ表示手段から前記二次ランプ表示手段に向かうライン状の画像表示と、前記二次ランプ表示手段による点灯表示とを順次に行っていくことを特徴としている。
【手続補正５】
【補正対象書類名】明細書
【補正対象項目名】００１３
【補正方法】変更
【補正の内容】
【００１３】
かかる構成によれば、ライン状の演出表示は、遊技盤において瞬時に行われるのではなく、一次ランプ表示手段による点灯表示と、画像表示手段における一次ランプ表示手段から二次ランプ表示手段に向かうライン状の画像表示と、二次ランプ表示手段による点灯表示とが役物に向かって順次表示されていくので、遊技者の期待感を高揚させながら遊技者の視線を役物に向けていくことができる。
【手続補正６】
【補正対象書類名】明細書
【補正対象項目名】００１４
【補正方法】変更
【補正の内容】
【００１４】
また請求項３にかかる発明は、請求項１又は２記載の遊技機において、前記一次ランプ表示手段および前記二次ランプ表示手段はそれぞれ前記画像表示手段を挟んで互いに対向する位置に設けられることを特徴としている。
【手続補正７】
【補正対象書類名】明細書
【補正対象項目名】００１５
【補正方法】変更
【補正の内容】
【００１５】
かかる構成によれば、一次ランプ表示手段と二次ランプ表示手段とが画像表示手段を挟んで互いに対向する位置に設けられるので、遊技盤の略全体を有効に利用した演出表示が可能になる。尚、かかる構成においては、例えば一次ランプ表示手段を画像表示手段の上部に設け、二次ランプ表示手段を画像表示手段の下部に設けた構成としても良いし、一次ランプ表示手段を画像表示手段の下部に設け、二次ランプ表示手段を画像表示手段の上部に設けた構成としても良い。
【手続補正８】
【補正対象書類名】明細書
【補正対象項目名】００１８
【補正方法】変更
【補正の内容】
【００１８】
また請求項５にかかる発明は、請求項１乃至４のいずれかに記載の遊技機において、前記一次ランプ表示手段は、前記画像表示手段より離れた位置から前記画像表示手段に向かって略線状に点灯し、前記二次ランプ表示手段は、前記画像表示手段から前記役物に向かって点灯することを特徴としている。
【手続補正９】
【補正対象書類名】明細書
【補正対象項目名】００１９
【補正方法】変更
【補正の内容】
【００１９】
かかる構成によれば、一次ランプ表示手段が画像表示手段に向かって略線状に点灯し、二次ランプ表示手段が画像表示手段から役物に向かって点灯するようになる。
【手続補正１０】
【補正対象書類名】明細書
【補正対象項目名】００２０
【補正方法】変更
【補正の内容】
【００２０】
また本発明には、上記のような発明の他、次のような発明が含まれる。すなわち、「遊技盤に設けられた始動口に遊技球が入球したことを条件として大当たり抽選を行い、当選した場合にはその当たり種別に応じて前記遊技盤に設けられた大入賞口を開閉する遊技機であって、前記遊技盤の中央に設けられた略矩形の画像表示手段と、前記画像表示手段の一辺に対応して設けられた一次ランプ表示手段と、前記画像表示手段の前記一辺とは異なる辺に対応して設けられた第１の二次ランプ表示手段と、前記第１の二次ランプ表示手段の近傍に設けられた前記大入賞口を開閉する役物と、前記画像表示手段の前記一辺とは異なる辺に対応して設けられ、前記役物とは異なる方向に向かって点灯する第２の二次ランプ表示手段と、前記画像表示手段、前記一次ランプ表示手段、前記第１の二次ランプ表示手段および前記第２の二次ランプ表示手段を制御する制御手段と、を備え、前記制御手段は、前記一次ランプ表示手段による点灯表示を行った後、前記画像表示手段において前記一次ランプ表示手段から前記第１の二次ランプ表示手段に向かうライン状の画像と、前記一次ランプ表示手段から前記第２の二次ランプ表示手段に向かうライン状の画像とのいずれか一方を表示すると共に、その画像表示に対応させて前記第１および第２の二次ランプ表示手段のいずれか一方による点灯表示を行うことを特徴とする遊技機」なる発明が含まれる。この発明においては、さらに「前記第２の二次ランプ表示手段は、前記役物とは異なる役物であって前記大入賞口とは異なる大入賞口を開閉する役物に向かって点灯表示を行う」構成を採用しても良い。
【手続補正１１】
【補正対象書類名】明細書
【補正対象項目名】００２１
【補正方法】変更
【補正の内容】
【００２１】
このような発明の構成によれば、役物とは異なる方向に向かって点灯する第２の二次ランプ表示手段をさらに備えているので、例えば大当たり抽選の結果に応じて役物に向かうライン状の演出表示を行うことができる。つまり、大当たり抽選において役物が開閉する当たりに当選した場合には、第１のランプ表示手段を点灯させて役物に向かうライン状の演出表示を行うことで遊技者にその当たりを報知することができると共に、大当たり抽選において役物が開閉する当たりに当選しなかった場合には、第２の二次ランプ表示手段を点灯させて役物とは異なる方向に向かうライン状の演出表示を行うことで遊技者にその抽選結果を報知することができる。
また、第２の二次ランプ表示手段が異なる大入賞口を開閉する別の役物に向かって点灯表示を行う構成の場合には、大当たり抽選において当たりに当選した場合、その当たりの種別に応じて、第１および第２の二次ランプ表示手段のいずれか一方を点灯させてライン状の演出表示を行うことにより、遊技者にいずれの役物が開放するかを報知することができるようになる。
【手続補正１２】
【補正対象書類名】明細書
【補正対象項目名】００３３
【補正方法】変更
【補正の内容】
【００３３】
ここで確率変動モード（確変モード）と潜伏確率変動モード（潜伏確変モード）の違いについて説明すると、確率変動モードでは遊技機１において大当たりの当選確率が通常確率よりも高確率に変動したことを報知する演出が行われ、遊技者が確率変動モードに移行したことを容易に把握することができる遊技状態となる。これに対し、潜伏確率変動モードでは遊技機１において大当たりの当選確率が通常確率よりも高確率に変動したことを報知する演出などは行われず、通常の遊技状態と変わるところがないので、遊技者が潜伏確率変動モードに移行したことを明確には把握することができない遊技状態となる。
【手続補正１３】
【補正対象書類名】明細書
【補正対象項目名】００４１
【補正方法】変更
【補正の内容】
【００４１】
二次ランプ表示部３６は、遊技盤１０において画像表示器８の下部右側に配置されている。この二次ランプ表示部３６は、遊技盤１０の背面側に取り付けられたランプ基板３６ａと、そのランプ基板３６ａに配列された複数の点灯部７６とを有している。複数の点灯部７６のそれぞれは例えばＬＥＤなどで構成されており、各点灯部７６の点灯および消灯を個別に制御することができるようになっている。これら複数の点灯部７６は画像表示器８の下部右側の所定位置から第２大入賞口２５および第２役物２６に向かう所定の直線、曲線或いはそれらを組み合わせた線に沿って配置されている。
【手続補正１４】
【補正対象書類名】明細書
【補正対象項目名】００５６
【補正方法】変更
【補正の内容】
【００５６】
したがって、本実施形態の遊技機１は、遊技盤１０のほぼ全体を利用して遊技領域１３の上部から下部に向かうライン状の演出表示を行うことができる。そしてこのような演出表示において二次ランプ表示部３５が点灯する場合には、遊技領域１３において第１大入賞口２２を開放する第１役物２３に向かうライン状の演出表示が行われる。また二次ランプ表示部３６が点灯する場合には、遊技領域１３において第２大入賞口２５を開放する第２役物２６に向かうライン状の演出表示が行われる。特に本実施形態では、遊技機１における特別図柄抽選（大当たり抽選）の抽選結果に応じて第１役物２３又は第２役物２６に向かうライン状の演出表示を行うことにより、遊技者にとって関心の高い大入賞口２２又は２５を指し示すような演出を行い、その演出表示中に遊技者の視線を大入賞口２２又は２５に注目させることができるように構成されている。例えば、特別図柄抽選（大当たり抽選）で大当たりに当選して「長当たり」となった場合には、リーチ演出などの演出表示中に、第１役物２３に向かうライン状の演出表示を行うことで、遊技者の視線を第１役物２３に向けさせることができると共に、遊技者に第１大入賞口２２が開放することを期待させることができる。また例えば、特別図柄抽選（大当たり抽選）で大当たりに当選して「短当たり」となった場合、或いは、小当たりに当選した場合には、リーチ演出などの演出表示中に、第２役物２６に向かうライン状の演出表示が行うことで、遊技者の視線を第２役物２６に向けさせることができると共に、遊技者に第２大入賞口２５が開放することを期待させることができる。そして画像表示器８では、特別図柄抽選（大当たり抽選）の抽選結果に応じて、複数の二次ランプ表示部３５，３６，３７のうちのいずれか一つに向かうようにライン状の画像の進行方向を変化させることで、遊技者は、遊技領域１３のほぼ全体で行われるライン状の演出表示が、第１役物２３および第２役物２６のいずれかに向かって表示されていくか、或いは、第１役物２３および第２役物２６のいずれにも向かわない方向に表示されていくかという点に興味を持ち、このライン状の演出表示に注目するようになる。
【手続補正１５】
【補正対象書類名】明細書
【補正対象項目名】００６４
【補正方法】変更
【補正の内容】
【００６４】
図９（ｂ）は、特別図柄抽選で大当たりに当選し、長当たりと確変モードとが設定された場合の大当たり確変図柄Ａを示している。この大当たり確変図柄Ａには、複数の特別図柄５３ｅ，５３ｆ，５３ｇ，５３ｈが予め設定されており、特別図柄抽選で大当たりに当選し、長当たりと確変モードとが設定されると、特別図柄表示器５３は、変動表示後に複数の特別図柄５３ｅ，５３ｆ，５３ｇ，５３ｈのうちのいずれか一つを表示した状態で停止する。このとき画像表示器８においては、リーチ演出などの演出表示が行われた後、１〜９などの数字を付した複数の装飾図柄が例えば「７７７」などの奇数図柄で揃った状態で停止する。